(57)【要約】【課題】従来の両アンダーラップの隅棟瓦では、第１、第２本体瓦部の尻端側に対して、第１、第２アンダーラップの尻端側が短寸に構成されており、この短寸による雨水の浸入による雨仕舞の問題が考えられる。またこの両アンダーラップの裏面には、係止用の突起等がなく、葺設の耐久性と、ガタツキ防止に問題を残すと考えられる。【構成】本発明は、第１、第２瓦本体部の差込み側端部に隣接する棧瓦のオーバーラップ裏側に潜り込む第１、第２アンダーラップを設け、第１、第２アンダーラップ表面の尻側と差込み側に尻側水返し突条と差込み側水返し突条を形成し、瓦本体部の頭側尖端部に頭削ぎ部、尻側端部に尻切込み部を形成し、尻切込み部と第１、第２アンダーラッ  プ尻側端とで平面視して略倒台形形状を形成し、第１、第２アンダーラップ裏面尻側端に棧木係止用引掛けを形成した隅棟瓦である。従って、左右均等に緊結されることにより雨仕舞の問題解消と、耐震性の向上に役立つ。【選択図】    図１
2004316160.tif 000002
【特許請求の範囲】
【請求項１】
左右の第１、第２瓦本体部の差込み側端部に隣接する棧瓦のオーバーラップ裏側に潜り込む左右の第１、第２アンダーラップをそれぞれ設け、この第１、第２アンダーラップ表面の尻側と差込み側に尻側水返し突条と差込み側水返し突条を形成し、また前記第１、第２瓦本体部の頭側尖端部に頭削ぎ部、尻側端部に尻切込み部をそれぞれ形成し、前記尻切込み部と前記第１、第２アンダーラップ尻側端とで平面視して略倒台形形状を形成し、前記第１、第２アンダーラップ裏面尻側端に棧木係止用引掛けをそれぞれ形成し、さらに前記第１、第２瓦本体部表面尻側重なり部内方に水返し突条を形成する構成とした両アンダーラップを備えた隅棟瓦。
【請求項２】
請求項１に記載の第１、第２アンダーラップの尻側端部をプレス成形する金型に尻切込み部当板を取付け可能とした両アンダーラップを備えた隅棟瓦。
【発明の詳細な説明】
【０００１】
【発明の属する技術分野】
本発明は、両アンダーラップを備えた隅棟瓦に関する。
【０００２】
【従来の技術】
従来、この種の両アンダーラップを備えた隅棟瓦に関する技術文献としては、（１）特開平７−３００９４７号の隅瓦およびその施工方法（文献１）がある。また（２）実開平７−３８３５３号の降り隅棟用セメント瓦（文献２）がある。さらに（３）実用新案登録第３０７４７９４号の隅棟瓦（文献３）等がある。以下、その概要を説明する。
【０００３】
文献（１）は、隅棟の棟線に沿う稜線部の両側から第１、第２瓦部を延設した隅瓦本体を形成し、この第１、第２瓦部の各延設側の端面（各端側）の下縁部から被嵌合片を張出した構成であり、施工幅を調整する必要がある隅棟において、隅瓦と、平板瓦との葺合せ調整で対応すること、又はこの隅棟の雨仕舞の向上を図ること、等を意図する。
【０００４】
また文献（２）は、隅棟瓦とその両側に接続される２個の半瓦とを一体にした形の分離式隅棟瓦（降り隅棟瓦）において、この分離式隅棟瓦を、中央下部の突出部（稜線部の頭側部）を四角形の別体として分離した副部と、この副部を分離して残った主部とで構成し、この主部と副部、及び主部に隣接して葺設される平瓦とを、それぞれ縁部を外面に凹凸を生じない重なり係合自在とした軽量な構成であり、横風で動かない分離式隅棟瓦を提供すること、またこの分離式隅棟瓦を、大能力（大型）のプレス機を要しないで形成すること、又は視覚上のアンバランスを生じないようにすること、等を意図する。
【０００５】
文献（３）は、水返し突条付きアンダーラップを備えた一方の面体と、オーバーラップを備えた他方の面体で形成される隅棟瓦において、一方の面体の有効表面を他方の面体の面積より小さく形成し、この両面体で形成される稜線部を曲面に形成し、また頭隅見付け部を曲線状に形成する構成であり、隅棟瓦の面積の縮少化により成形精度を高め、軽量化を図りつつ、かつ施工性の向上を可能とすることを意図する。また軽量で施工性に優れ、製造時材料の節約が可能で亀裂・歪等の欠陥の少ない隅棟瓦の提供を意図する。
【０００６】
【発明が解決しようとする課題】
文献（１）は、隅瓦の頭側（頭見付け）は、隅角構造であり、隅瓦寸法（隅瓦面積）が大きくなること、隅瓦重量の軽減化が図れないこと、焼成による歪み発生頻度が高くなること、等の改良点がある。またこの文献（１）は、焼成屋根材への応用は考慮されていない発明であること、また屋根地との緊結は尻端部の釘止めに依存しているので、瓦棧との係止（引掛け）構造が欠落していること、等の問題が考えられる。
【０００７】
また文献（２）は、副部に設けられた第１、第２アンダーラップは連結する構造であるので、この副部（副瓦）の上方に葺設される主部（主瓦）の構造が限定されること、またこの主、副瓦の構造限定は、汎用性に欠けること等の問題があること、又は文献（１）と同じ改良点があると考えられる。またこの文献（２）は、発明の名称からも理解できるように、セメント瓦には適する構造である。しかし、開示された全体構造、形状、寸法等から想定すると、本発明が意図する陶器瓦には適さないと考えられる。
【０００８】
さらに文献（３）は、本出願人にかかる考案であり、隅棟瓦の軽量化、材料の節約化等の点では、有効である。しかし、本発明が意図する両アンダーラップの構造は備えておらず、瓦棧を利用した強固な葺設は期待できない。またこの文献（３）は、瓦棧との係止構造が、片持ちとなり安定性に課題を残す。
【０００９】
【課題を解決するための手段】
請求項１の発明は、両アンダーラップの構造を採用して、屋根全体の雨仕舞の問題解消と、屋根地に安定した強固な緊結を図り、耐震性の向上に役立つ隅棟瓦を提供する。また尻端角に、平面視して略倒台形形状の尻切込み部を形成し、この尻切込み部に連続する両アンダーラップ構造を採用すること、左右のアンダーラップ裏面尻端側に瓦棧（横棧）に係止される引掛けを形成し、隅棟瓦が左右均等に緊結されることにより、隣接する平板瓦（棧瓦）との葺合せの合理化が進み、係り合いの強化、簡便性の向上を意図する。さらにこの種の隅棟瓦のプレス成形に適する金型の製作、保全に際して、当該金型構成（尻切込み部の当板取付け等）の簡便化、容易化等を図り経済性の向上を目指す。
【００１０】
従って、請求項１は、左右の第１、第２瓦本体部の差込み側端部に隣接する棧瓦のオーバーラップ裏側に潜り込む左右の第１、第２アンダーラップをそれぞれ設け、この第１、第２アンダーラップ表面の尻側と差込み側に尻側水返し突条と差込み側水返し突条を形成し、また前記第１、第２瓦本体部の頭側尖端部に頭削ぎ部、尻側端部に尻切込み部をそれぞれ形成し、前記尻切込み部と前記第１、第２アンダーラップ尻側端とで平面視して略倒台形形状を形成し、前記第１、第２アンダーラップ裏面尻側端に棧木係止用引掛けをそれぞれ形成し、さらに前記第１、第２瓦本体部表面尻側重なり部内方に水返し突条を形成する構成とした両アンダーラップを備えた隅棟瓦である。
【００１１】
請求項２の発明は、この種の隅棟瓦の製造に適する金型を、製造するに有効である。即ち、当該金型の尻端側隅角の切落し部用の尻切込み部当板と、全体の外郭体用の外周側面板とを緊締するボルトの締め代を確保して、この金型の組付けの容易化、堅牢化、又は安定性の向上を図ること、等を意図する。
【００１２】
従って、請求項２は、請求項１に記載の第１、第２アンダーラップの尻側端部をプレス成形する金型に尻切込み部当板を取付け可能とした両アンダーラップを備えた隅棟瓦である。
【００１３】
【発明の実施の形態】
本発明の隅棟瓦は、水返し突条付き第１、第２アンダーラップを備えた第１、第２瓦本体部とで形成し、この第１、第２アンダーラップを備えた第１、第２瓦本体部は、稜線を中心として対称関係に構成されている。従って、同じ表面（有効表面）が確保できること、形状の安定性と、又は成形精度を高めること、又は全体形状を極限まで切り詰めることで、例えば、生産性の向上が図れること、等の利点がある。そして、この表面積の縮小化により軽量で、欠損の生じない構成となり、焼成時の歩留まりを改善すること、また軽量化により現場（高所）での取扱いの容易化が達成できること、等の実益も考えられる。
【００１４】
そして、本発明は、稜線の形状をぼかし曲面として、従来例における稜線を一条ラインとする構成、及び隅先端見付け部を尖角形状とする構成の欠点解消を意図する。例えば、従来の稜線が鮮明な形状を有する隅棟瓦では、順次上段に葺設する各隅棟瓦のそれぞれの稜線及び尖角を筋を通して葺き上げるが、この筋を通して葺き上げるのは至難の技であり、また手間及び熟練を要する等の課題がある。しかし、本発明のぼかし曲面においては、稜線及び頭尖角部の蛇行がカムフラージュされるため、簡易かつ美麗に葺き上げることができる。
【００１５】
次に、本発明の葺上げ状態を図４に基づき説明すると、隅棟芯に向って左右から延設屋根地（図示しない）に固定された瓦棧に、第１、第２アンダーラップ（以下、総称する場合には、両アンダーラップとする）の尻端側背部にそれぞれ設けた瓦棧引掛けを係止する。そして、稜線の釘孔を利用して屋根地（隅棟芯材）等へ釘止めして、隅棟瓦を葺設する。そして、この隅棟瓦の両アンダーラップには、それぞれ隣接する平板瓦（棧瓦）のオーバーラップが覆い被さるように葺設される。これらの工程により、隅棟瓦と隣接する平板瓦（以下棧瓦とする）との葺合せの安定性、係り合い等の強化、耐震性、耐風雨性の向上、左右のバランス感覚、均整美の改善、等が図られる特徴がある。そして、通常寸法の棧瓦を用いて所要寸法を残して裁断すれば、きき幅調整用の棧瓦（調整瓦）が調達され、平部の千鳥葺に充当できる利便性も期待できる。
【００１６】
さらに、隅棟瓦のアンダーラップが棧瓦のオーバーラップに潜り込むことで、当該隅棟瓦のアンダーラップに生じ易い軽度の歪み、変形は隠蔽され、整然とした葺合せが確保できる副次効果も見逃せない。
【００１７】
尚、葺設された隅棟瓦の上方（棟方向）には、次の隅棟瓦（上の隅棟瓦）が被せ葺きされるが、具体的には、この隅棟瓦の第１、第２瓦本体部尻端側に設けた平面視して略菱形の水返し突条、及び左右の棧瓦の尻側を覆うように所定の重なり長さを確保し、上の隅棟瓦の角垂れ、及び左右の頭垂れを載置し、同時にこの隅棟瓦に隣接する棧瓦の尻側に、上の隅棟瓦の頭側が被せ葺きされた後、隅棟瓦の稜線に設けられた釘孔を介して釘、又はビスにて下地に緊結される。以後は、この上の隅棟瓦の施工と、ほぼ同じ葺上げ方法により、隅棟が完成される。
【００１８】
【実施例】
以下、本発明の一例を説明する。
【００１９】
図中１は隅棟瓦で、この隅棟瓦１は左右の差込み側に第１アンダーラップ２と第２アンダーラップ３を備えた第１瓦本体部４と第２瓦本体部５で構成される。この第１、第２アンダーラッ  プ２、３の表面尻側２００、３００から差込み端側２０１、３０１に亘り、尻側水返し突条６と差込み側水返し突条７を連設する。そして、尻側水返し突条６と差込み側水返し突条７を設けた第１、第２アンダーラップ２、３は、第１、第２瓦本体部４、５の左右の差込み側端部２０２、３０２より低く構成されている。また前記第１、第２瓦本体部４、５の頭角部４０１には頭削ぎ部９を、尻端４００には尻切込み部８をそれぞれ形成する。この尻端４００の尻切込み部８の端側８００と前記第１、第２アンダーラップ２、３の尻側２００、３００とで形成する外郭線１０は、平面視して略倒台形形状を呈する。また第１、第２アンダーラップ２、３の尻側２００、３００の裏面に瓦棧引掛け１１、１２を連設する。尚、尻端４００、５００の尻切込み部８に設けた水返し突条１３と前記第１、第２アンダーラップ２、３の尻側水返し突条６とは、前記略倒台形形状の外郭線１０に位置する。この外郭線１０を利用して、雨仕舞の向上と、上方の隅棟瓦１’との葺合せの安定性と、姿勢の維持、美麗な隅棟（稜線）ラインの発生、等が図れる。図中４０は棟芯材を示す。尚、尻切込み部８の端側８００と頭削ぎ部９の頭垂れとを略平行として、隅棟瓦１の形状の安定性と、小寸法化、軽量化等を図る。図中４１は瓦棧を示す。
【００２０】
図中１４は釘孔を示し、１５は第１、第２アンダーラップ２、３の裏面頭内方に設けた凹部を示し、１６は第１、第２瓦本体部４、５の頭側５０１の頭垂れ、１７は頭角垂れをそれぞれ示す。
【００２１】
図中２０は隅棟瓦１に隣接葺設される棧瓦を示す。そこで隅棟瓦１の第１、第２アンダーラップ２、３は、棧瓦２０のオーバーラップ３５の裏側に潜り込み、隅棟瓦の差込み側端部２０２、３０２上面と、棧瓦２０の棧側端部３６上面とは、略同レベルに構成されている。また、第１、第２アンダーラップ２、３の裏面に形成した凹部１５は、棧瓦２０の尻側水返し突条３７との干渉を回避する役割をもつ。また３０は成形用金型の下型、３１は下型の外周側面板、３２は尻切込み部当板をそれぞれ示している。尚、この下型３０には、外周側面板３１と尻切込み部当板３２とがボルト３３等の緊締具で固定される。またこの尻切込み部当板３２には、ボルト３４等の取付け面を確保する。そして、この取付け面に螺入したボルト３４等を介して下型３０との強固な緊締を図る。またこの尻切込み部当板３２は外周側面板３１ともボルト３３等の緊締具を介して強固に取付けられる。
【００２２】
【発明の効果】
請求項１の発明は、左右の第１、第２瓦本体部の差込み側端部に隣接する棧瓦のオーバーラップ裏側に潜り込む左右の第１、第２アンダーラップをそれぞれ設け、第１、第２アン  ダーラップ表面の尻側と差込み側に尻側水返し突条と差込み側水返し突条を形成し、また第１、第２瓦本体部の頭側尖端部に頭削ぎ部、尻側端部に尻切込み部をそれぞれ形成し、尻切込み部と第１、第２アンダーラップ尻側端とで平面視して略倒台形形状を形成し、第１、第２アンダーラップ裏面尻側端に棧木係止用引掛けをそれぞれ形成し、さらに第１、第２瓦本体部表面尻側重なり部内方に水返し突条を形成する構成とした両アンダーラップを備えた隅棟瓦である。
【００２３】
従って、請求項１は、両アンダーラップの構造を採用して、屋根全体の雨仕舞の問題解消と、屋根地に安定した強固な緊結を図り、耐震性の向上に役立つ隅棟瓦を提供できる。また尻端角に、平面視して略倒台形形状の尻切込み部を形成し、この尻切込み部に連続する両アンダーラップ構造を採用することで、左右のアンダーラップ裏面尻端側に瓦棧（横棧）に係止される引掛けを形成し、隅棟瓦が左右均等に緊結されることにより、隣接する平板瓦（棧瓦）との葺合せの合理化が進み、係り合いの強化、簡便性の向上が図れる。さらにこの種の隅棟瓦のプレス成形に適する金型の製作、保全に際して、当該金型構成（尻切込み部の当板取付け等）の簡便化、容易化、低コスト化等を図り経済性の向上を目指すことができる特徴がある。
【００２４】
請求項２の発明は、請求項１に記載の第１、第２アンダーラップの尻側端部をプレス成形する金型に尻切込み部当板を取付け可能とした両アンダーラップを備えた隅棟瓦である。
【００２５】
従って、請求項２は、この種の隅棟瓦の製造に適する金型を、製造するに有効である。即ち、当該金型の尻端側隅角の切落し部用の尻切込み部当板と、全体の外郭体用の外周側面板とを緊締するボルトの締め代を確保して、この金型の組付けの容易化、堅牢化、又は安定性の向上、等が図れる特徴がある。
【図面の簡単な説明】
【図１】本発明の隅棟瓦の表面図
【図２】本発明の隅棟瓦の裏面図
【図３】本発明の隅棟瓦の成形用金型の下型組付図
【図４】本発明の葺設の一例を示す縮尺平面図
【符号の説明】
１        隅棟瓦
１’        隅棟瓦
２        第１アンダーラップ
２００      尻側
２０１      差込み端側
２０２      差込み側端部
３        第２アンダーラップ
３００      尻側
３０１      差込み端側
３０２      差込み側端部
４        第１瓦本体部
４００      尻端
４０１      頭角部
５        第２瓦本体部
５００      尻端
５０１      頭側
６        尻側水返し突条
７        差込み側水返し突条
８        尻切込み部
８００      端側
９        頭削ぎ部
１０        外郭線
１１        瓦棧引掛け
１２        瓦棧引掛け
１３        水返し突条
１４        釘孔
１５        凹部
１６        頭垂れ
１７        頭角垂れ
２０        棧瓦
３０        下型
３１        外周側面板
３２        尻切込み部当板
３３        ボルト
３４        ボルト
３５        オーバーラップ
３６        棧側端部
３７        尻側水返し突条
４０        棟芯材
４１        瓦棧
【図１】
2004316160.tif 000003
【図２】
2004316160.tif 000004
【図３】
2004316160.tif 000005
【図４】
2004316160.tif 000006